(57)【特許請求の範囲】
【請求項１】
無線通信が可能な第１及び第２の無線通信部と、
動作周波数を供給するクロックの周波数を切り替え可能なクロック切り替え部と、
前記第１の無線通信部における通信状態と機器の動作モードに基づいて、前記クロック切り替え部が供給するクロックを切り替える制御部と、
を備え、
前記クロック切り替え部は、複数のモジュールに供給するクロックの切り替えが可能であり、
前記制御部は、前記複数のモジュールのそれぞれに供給するクロックと前記動作モードとの関係が定められているクロックテーブルに基づいて、前記クロック切り替え部が供給するクロックを切り替え、
前記制御部は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替えることを特徴とする携帯電子機器。
【請求項２】
前記制御部は、前記第１の無線通信部の通信品質が予め定められた値未満となった場合に、前記クロック切り替え部が供給するクロックを切り替える請求項１の携帯電子機器。
【請求項３】
前記制御部は、前記第１の無線通信部における通信が不能となった場合には、前記クロックテーブルに基づくクロックの変更と、変更後のクロックにより前記第１の無線通信部における通信が復帰する否かの確認と、を繰り返す請求項１又は２の携帯電子機器。
【請求項４】
無線通信が可能な第１及び第２の無線通信部と、
動作周波数を供給するクロックの周波数を切り替え可能なクロック切り替え部と、
を備える携帯電子機器の制御方法であって、
前記第１の無線通信部における通信状態を確認する工程と、
前記通信状態と機器の動作モードに基づいて、前記クロック切り替え部が供給するクロックを切り替えるクロック切り替え工程と、
を含み、
前記クロック切り替え部は、複数のモジュールに供給するクロックの切り替えが可能であり、
前記クロック切り替え工程は、前記複数のモジュールのそれぞれに供給するクロックと前記動作モードとの関係が定められているクロックテーブルに基づいて、前記クロック切り替え部が供給するクロックを切り替え、
前記クロック切り替え工程は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替えることを特徴とする携帯電子機器の制御方法。
【請求項５】
前記クロック切り替え工程は、前記第１の無線通信部の通信品質が予め定められた値未満となった場合に、前記クロック切り替え部が供給するクロックを切り替える請求項４の携帯電子機器の制御方法。
【請求項６】
無線通信が可能な第１及び第２の無線通信部と、
動作周波数を供給するクロックの周波数を切り替え可能なクロック切り替え部と、
を備える携帯電子機器を制御するコンピュータに実行させるプログラムであって、
前記第１の無線通信部における通信状態を確認する処理と、
前記通信状態と機器の動作モードに基づいて、前記クロック切り替え部が供給するクロックを切り替えるクロック切り替え処理と、
を実行し、
前記クロック切り替え部は、複数のモジュールに供給するクロックの切り替えが可能であり、
前記クロック切り替え処理は、前記複数のモジュールのそれぞれに供給するクロックと前記動作モードとの関係が定められているクロックテーブルに基づいて、前記クロック切り替え部が供給するクロックを切り替え、
前記クロック切り替え処理は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替える、プログラム。
【請求項７】
前記クロック切り替え処理は、前記第１の無線通信部の通信品質が予め定められた値未満となった場合に、前記クロック切り替え部が供給するクロックを切り替える請求項６のプログラム。
【発明の詳細な説明】
【技術分野】
【０００１】
本発明は、携帯電子機器、その制御方法及びプログラムに関する。特に、無線通信が可能な携帯電子機器に関する。
【背景技術】
【０００２】
近年、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の携帯電子機器は広く普及し、高機能化が著しい。一台の携帯電子機器においてＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）等の異なる通信方式に対応する必要があることや、Ｂｌｕｅｔｏｏｔｈ（登録商標）やＷＬＡＮ（Ｗｉｒｅｌｅｓｓ  Ｌｏｃａｌ  Ａｒｅａ  Ｎｅｔｗｏｒｋ）等の無線通信に対しても対応することが強く求められているのが現状である。このように、一台の携帯電子機器が多種多様な無線通信手段を備え、多くの無線周波数帯域を使用している。
【０００３】
一方、携帯電子機器にはＣＰＵ（Ｃｅｎｔｒａｌ  Ｐｒｏｃｅｓｓｉｎｇ  Ｕｎｉｔ）や、操作に必要な情報を表示させるための液晶表示（液晶パネル）が必要である。これらのＣＰＵや液晶表示用のドライバ回路はクロックを必要とする。しかし、ＣＰＵや液晶表示用のドライバ回路に用いるクロックのｎ次（但し、ｎは１以上の整数）倍の周波数と、無線通信手段が使用する帯域が重複すると、無線通信手段における受信感度に影響を及ぼしてしまう。
【０００４】
そこで、特許文献１において、無線通信に使用する無線モジュールの無線周波数帯域と干渉しないように機器側の動作周波数を変更し、無線通信でのノイズを低減させる技術が開示されている。
【先行技術文献】
【特許文献】
【０００５】
【特許文献１】特開２００２−２９０２６１号公報
【発明の概要】
【発明が解決しようとする課題】
【０００６】
以下の分析は、本発明の観点からなされたものである。
【０００７】
上述のように近年の携帯電子機器は、多くの無線通信手段を備えており、全ての無線通信手段で使用する無線周波数帯域と携帯電子機器で使用しているクロックのｎ次倍の周波数を重複させない（干渉させない）ことは非常に困難である。
【０００８】
図２は、携帯電子機器のＣＰＵに５００ＭＨｚの周波数を供給している際に、クロックのｎ次倍の周波数と無線通信手段の使用する無線周波数帯域との関係を示した図である。一台の携帯電子機器において、ＷＣＤＭＡの８００ＭＨｚ帯域と２ＧＨｚ帯域を使用する場合に、ＣＰＵのクロックに５００ＭＨｚを採用してしまうと、８００ＭＨｚ帯域への影響を回避することはできても、２ＧＨｚ帯域への影響を回避することはできない。さらに、多数の無線通信手段の無線周波数帯域が加わると全ての無線周波数帯域と干渉を起こさないＣＰＵのクロックが存在しない場合が考えられる。
【０００９】
また、ある無線通信手段により通信をしている場合であっても、通信環境の変化や携帯電子機器の使用態様により通信ができない場合もある。例えば、通話（ＷＣＤＭＡ方式により通信）をしている際に、携帯電子機器のＧＰＳを動作させたことによって、通話時の感度が悪化することが考えられる。そのような場合には、ＧＰＳを動作させるために必要なクロックがＷＣＤＭＡの無線周波数帯域に干渉していると考えることができる。
【００１０】
以上のとおり、従来技術には、解決すべき問題点が存在する。
【００１１】
本発明の一側面において、使用している無線通信手段の感度抑制を検出し、使用しているクロックとは異なるクロックを選択することで、通信品質を維持する携帯電子機器、その制御方法及びプログラムが、望まれる。
【課題を解決するための手段】
【００１２】
本発明の第１の視点によれば、無線通信が可能な第１及び第２の無線通信部と、動作周波数を供給するクロックの周波数を切り替え可能なクロック切り替え部と、前記第１の無線通信部における通信状態と機器の動作モードに基づいて、前記クロック切り替え部が供給するクロックを切り替える制御部と、を備え、前記クロック切り替え部は、複数のモジュールに供給するクロックの切り替えが可能であり、前記制御部は、前記複数のモジュールのそれぞれに供給するクロックと前記動作モードとの関係が定められているクロックテーブルに基づいて、前記クロック切り替え部が供給するクロックを切り替え、前記制御部は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替える携帯電子機器が提供される。
【００１３】
本発明の第２の視点によれば、無線通信が可能な第１及び第２の無線通信部と、動作周波数を供給するクロックの周波数を切り替え可能なクロック切り替え部と、を備える携帯電子機器の制御方法であって、前記第１の無線通信部における通信状態を確認する工程と、前記通信状態と機器の動作モードに基づいて、前記クロック切り替え部が供給するクロックを切り替えるクロック切り替え工程と、を含み、前記クロック切り替え部は、複数のモジュールに供給するクロックの切り替えが可能であり、前記クロック切り替え工程は、前記複数のモジュールのそれぞれに供給するクロックと前記動作モードとの関係が定められているクロックテーブルに基づいて、前記クロック切り替え部が供給するクロックを切り替え、前記クロック切り替え工程は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替える、携帯電子機器の制御方法が提供される。
【００１４】
本発明の第３の視点によれば、無線通信が可能な第１及び第２の無線通信部と、動作周波数を供給するクロックの周波数を切り替え可能なクロック切り替え部と、を備える携帯電子機器を制御するコンピュータに実行させるプログラムであって、前記第１の無線通信部における通信状態を確認する処理と、前記通信状態と機器の動作モードに基づいて、前記クロック切り替え部が供給するクロックを切り替えるクロック切り替え処理と、を実行し、前記クロック切り替え部は、複数のモジュールに供給するクロックの切り替えが可能であり、前記クロック切り替え処理は、前記複数のモジュールのそれぞれに供給するクロックと前記動作モードとの関係が定められているクロックテーブルに基づいて、前記クロック切り替え部が供給するクロックを切り替え、前記クロック切り替え処理は、前記第１の無線通信部が動作している際に、前記第２の無線通信部が動作し、前記第１の無線通信部の通信品質が予め定められた値未満となった場合には、前記クロックテーブルから、前記第１の無線通信部と、前記第２の無線通信部とが共に動作可能なクロックに前記クロック切り替え部が供給するクロックを切り替える、プログラムが提供される。
【発明の効果】
【００１５】
本発明の各視点によれば、使用している無線通信手段の感度抑制を検出し、使用しているクロックとは異なるクロックを選択することで、通信品質を維持する携帯電子機器、その制御方法及びプログラムが、提供される。
【図面の簡単な説明】
【００１６】
【図１】本発明の概要を説明するための図である。
【図２】携帯電子機器のＣＰＵに使用しているクロックが無線通信手段に与える影響を説明するための図である。
【図３】本発明の第１の実施形態に係る携帯電子機器の内部構成の一例を示す図である。
【図４】図３に示すクロック切り替え部の内部構成の一例を示す図である。
【図５】携帯電子機器が切り替え可能なクロックの組み合わせと、動作モードとの関係の一例を示す図である。
【図６】第１の実施形態に係る携帯電子機器が無線通信をしている際の動作を示すフローチャートである。
【図７】第２の実施形態に係る携帯電子機器が通信圏外となった場合の動作を示すフローチャートである。
【発明を実施するための形態】
【００１７】
初めに、図１を用いて実施形態の概要について説明する。なお、この概要に付記した図面参照符号は、理解を助けるための一例として各要素に便宜上付記したものであり、本発明を図示の態様に限定することを意図するものではない。
【００１８】
上述のように、一台の携帯電子機器が多種多様な無線通信手段を備え、多くの無線周波数帯域を使用している。すると、携帯電子機器を動作させるために必要なクロックであって、これら全ての無線周波数帯域に干渉しないものを選択することが非常に困難な状況となってきている。
【００１９】
そこで、図１に示す携帯電子機器を提供する。図１に示す携帯電子機器は、無線通信が可能な第１の無線通信部と、動作周波数を供給するクロックの周波数を切り替え可能なクロック切り替え部とを備えている。さらに、制御部において、第１の無線通信部における通信状態（通信品質や通信圏外の検出）と携帯電子機器の動作モードに基づいて、クロック切り替え部が供給するクロックを切り替える。即ち、第１の無線通信部が無線通信を行なっている際に、携帯電子機器において他の機能が動作することによって第１の無線通信部における通信状態が悪化した場合には、第１の無線通信と他の機能が両立可能なクロックを選択する。その結果、良好な通信状態を維持することが可能になる。
【００２０】
［第１の実施形態］
次に、本発明の第１の実施形態について、図面を用いてより詳細に説明する。図３は、本実施形態に係る携帯電子機器１の内部構成の一例を示す図である。携帯電子機器１は、ＷＣＤＭＡ無線送受信部１０、ＧＳＭ無線送受信部１１、Ｂｌｕｅｔｏｏｔｈ（登録商標）送受信部１２、ＷＬＡＮ送受信部１３、ＧＰＳ送受信部１４、制御部２０、記憶部２１、クロック切り替え部３０、マイク４０、スピーカ４１、操作部５０、表示部６０、カメラ７０、ＣＰＵ８０から構成される。
【００２１】
ＷＣＤＭＡ無線送受信部１０、ＧＳＭ無線送受信部１１、Ｂｌｕｅｔｏｏｔｈ（登録商標）送受信部１２、ＷＬＡＮ送受信部１３、ＧＰＳ送受信部１４はそれぞれ無線通信手段である。
【００２２】
制御部２０は、無線通信手段及び操作部５０、表示部６０等の制御を行ない、携帯電子機器１に必要な情報は記憶部２１に記憶する。
【００２３】
ここで、携帯電子機器１において使用されるクロックは、ＣＰＵ８０に用いるクロックだけではなく、記憶部２１のＳＤＲＡＭ（Ｓｙｎｃｈｒｏｎｏｕｓ  ＤＲＡＭ）等のメモリに用いられるクロック、液晶表示のドライバ回路に用いられるクロック、カメラのモジュールに用いられるクロックが存在する。クロック切り替え部３０では、携帯電子機器１が備える各モジュール（ＣＰＵ、メモリ、表示モジュール、カメラモジュール）に供給するクロックの周波数を切り替え可能であるとする。
【００２４】
図４は、クロック切り替え部３０の内部構成の一例を示す図である。クロック切り替え部３０は、クロック選択部３０１と、クロック発振器３０２１乃至３０２ｍ（但し、ｍは２以上の整数）から構成されている。クロック切り替え部３０は、制御部２０からの指示に基づき、ｍ個のクロック発振器３０２１乃至３０２ｍの出力を切り替え可能である。本実施形態に係る携帯電子機器１では、携帯電子機器１の各モジュールに供給するクロックを複数の周波数に切り替え可能であるとする。例えば、ＣＰＵ８０に用いられるクロックは、ＣＰＵ＿ＣＬＫ１、ＣＰＵ＿ＣＬＫ２…ＣＰＵ＿ＣＬＫｍのいずれかが供給される。同様に、他のモジュールに供給するクロックも複数のクロックに切り替え可能である。
【００２５】
図５に、携帯電子機器１が切り替え可能なクロックの組み合わせと、携帯電子機器１の動作モードの関係（以下、クロックテーブルと呼ぶ）の一例を示す。図５では、１行目のクロックの組み合わせは、ＷＣＤＭＡ無線通信の２ＧＨｚ帯域を使用する際に用いることを示している。つまり、１行目のクロックの組み合わせであれば、ＣＰＵ８０を始めとした各モジュールに供給するクロックがＷＣＤＭＡ無線通信に干渉することはない。
【００２６】
また、図５の５行目のクロックの組み合わせは、ＷＣＤＭＡ無線通信の８００ＭＨｚ帯域とＢｌｕｅｔｏｏｔｈ（登録商標）を同時に使用する際に用いることを示している。このように、携帯電子機器１で使用する無線通信手段と、その際に選択可能なクロックの組み合わせが予め定められ、記憶部２１に記憶されている。
【００２７】
マイク４０及びスピーカ４１は、通話時に使用する。また、ユーザーは操作部５０を用いて携帯電子機器１を操作し、その際に必要な情報は表示部６０に表示される。さらに、携帯電子機器１は静止画及び動画の撮影が可能であるとし、カメラ７０を備えている。
【００２８】
次に、本実施形態に係る携帯電子機器１の動作について説明する。図６は、携帯電子機器１が無線通信を行なっている際の動作を示すフローチャートである。
【００２９】
ステップＳ０１では、制御部２０において、ＷＣＤＭＡ無線送受信部１０、ＧＳＭ無線送受信部１１、Ｂｌｕｅｔｏｏｔｈ（登録商標）送受信部１２、ＷＬＡＮ送受信部１３、ＧＰＳ送受信部１４の無線通信手段のうち、いずれかを用いているか判断する。ここでは、ＷＣＤＭＡ無線送受信部１０において、ＷＣＤＭＡ無線通信の２ＧＨｚ帯域を使用しているものとする。
【００３０】
次に、ステップＳ０２において、ＷＣＤＭＡ無線送受信部１０における通信品質を確認する。通信品質が予め定められた値以上であれば、処理を終了する。しかし、通信品質が予め定められた値未満（通信品質が悪化している場合）であれば、ステップＳ０３に遷移する。
【００３１】
ステップＳ０３では、クロックテーブルから感度抑圧の発生しないクロックの選択を行なう。本実施形態においては、当初、図５の１行目のクロックの組み合わせを用いてＷＣＤＭＡ無線通信の２ＧＨｚ帯域を使用していた場合に、ＧＰＳ機能が有効になったことで、ＷＣＤＭＡ無線通信における感度抑圧が発生したものとする。そこで、ＷＣＤＭＡ無線通信（２ＧＨｚ帯域の使用）とＧＰＳ機能の両立が可能な、図５の４行目のクロックの組み合わせを選択する。
【００３２】
以上のように、本実施形態に係る携帯電子機器１においては、現在使用している無線通信において感度抑圧が発生しているか否か判断し、感度抑圧が発生している場合には、他のクロックの組み合わせを選択することで、通信品質をある一定値以上に保つことが可能になる。
【００３３】
［第２の実施形態］
続いて、第２の実施形態について図面を参照して詳細に説明する。本実施形態に係る携帯電子機器１ａの内部構成は携帯電子機器１と同じであるので、図３に相当する説明を省略する。本実施形態においては、携帯電子機器１ａが通信圏外（通信不能）となった際のクロックの選択について説明する。
【００３４】
図７は、本実施形態に係る携帯電子機器１ａが通信圏外となった場合の動作を示すフローチャートである。
【００３５】
ステップＳ１１において、無線通信の使用状況を確認する。
【００３６】
ステップＳ１２において、現在の通信状態が通信圏外となっているか否か確認する。通信圏外であれば、ステップＳ１３に遷移し、通信圏外でなければ処理を終了する。
【００３７】
ステップＳ１３においては、現在又は過去に選択したクロックの組み合わせ以外の組み合わせを選択する。第１の実施形態においては、複数の機能を動作させることで感度抑圧が発生していたため、予め変更すべきクロックの組み合わせの選択が可能であった。しかし、通信圏外が発生する原因は正確に特定することができない。通信圏外の発生原因には、携帯電子機器１ａに電波が到達しないことも当然考えられるものであるが、携帯電子機器１ａの周辺温度の変化等によって、クロックの周波数が変動し、感度抑制が発生している場合が考えられる。そこで、本ステップにおいては、クロックテーブルの全ての組み合わせの中から順次クロックの組み合わせを変更する。クロックの変更を行なった後、ステップＳ１２に遷移し、通信圏外から復帰するか確認し、処理を継続する。
【００３８】
その結果、何らかの要因によってクロックが変動し、感度抑圧が発生したとしても、通信状態を復帰させることができる。なお、本実施形態においては、ステップＳ１３において全てのクロックの組み合わせを選択対象としている。その理由は、上述のように、通信圏外が起きる原因を正確に把握することはできず、通信圏外から復帰できる可能性を広げるためである。
【００３９】
一方、携帯電子機器１ａで有効にしている無線通信手段は制御部２０で把握することが可能であるから、その有効にしている無線通信手段からクロックの組み合わせを選択することも可能となる。例えば、ＷＣＤＭＡ無線通信（２ＧＨｚ帯域の使用）とＧＰＳ機能を同時に使用しており、携帯電子機器１ａが通信圏外となったとする。この場合に、ＷＣＤＭＡ無線通信（２ＧＨｚ帯域の使用）の復帰をＧＰＳ機能の動作よりも優先させる場合には、図５の１行目のクロックの組み合わせを選択し、通信圏外からの復帰を確認することも考えられる。図５の１行目のクロックはＷＣＤＭＡ無線通信（２ＧＨｚ帯域の使用）時に使用することを前提に設計されており、図５の２行目のクロックの組み合わせ等と比較して、通信圏外から復帰できる可能性が高いと考えられるためである。
【００４０】
上記の実施形態の一部又は全部は、以下の付記のようにも記載され得るが、以下には限られない。
【００４１】
（付記１）無線通信が可能な第１の無線通信部と、動作周波数を供給するクロックの周波数を切り替え可能なクロック切り替え部と、前記第１の無線通信部における通信状態と機器の動作モードに基づいて、前記クロック切り替え部が供給するクロックを切り替える制御部と、を備える携帯電子機器。
【００４２】
（付記２）前記制御部は、前記第１の無線通信部の通信品質が予め定められた値未満となった場合に、前記クロック切り替え部が供給するクロックを切り替える携帯電子機器。
【００４３】
（付記３）前記クロック切り替え部は、複数のモジュールに供給するクロックの切り替えが可能であり、前記制御部は、前記複数のモジュールのそれぞれに供給するクロックと前記動作モードとの関係が定められているクロックテーブルに基づいて、前記クロック切り替え部が供給するクロックを切り替える携帯電子機器。
【００４４】
（付記４）さらに、無線通信が可能な第２の無線通信部を備え、前記制御部は、前記第１の無線通信部が動作している際に、前記第２の無線通信部が動作し、前記通信品質が予め定められた値未満となった場合には、前記クロックテーブルから、前記第１の無線通信部と、前記第２の無線通信部とが共に動作可能なクロックに前記クロック切り替え部が供給するクロックを切り替える携帯電子機器。
【００４５】
（付記５）前記制御部は、前記第１の無線通信部における通信が不能となった場合には、前記クロックテーブルに基づくクロックの変更と、変更後のクロックにより前記第１の無線通信部における通信が復帰する否かの確認と、を繰り返す携帯電子機器。
【００４６】
（付記６）無線通信が可能な第１の無線通信部と、動作周波数を供給するクロックの周波数を切り替え可能なクロック切り替え部と、を備える携帯電子機器の制御方法であって、前記第１の無線通信部における通信状態を確認する工程と、前記通信状態と機器の動作モードに基づいて、前記クロック切り替え部が供給するクロックを切り替えるクロック切り替え工程と、を含む携帯電子機器の制御方法。
【００４７】
（付記７）前記クロック切り替え工程は、前記第１の無線通信部の通信品質が予め定められた値未満となった場合に、前記クロック切り替え部が供給するクロックを切り替える携帯電子機器の制御方法。
【００４８】
（付記８）前記クロック切り替え部は、複数のモジュールに供給するクロックの切り替えが可能であり、前記クロック切り替え工程は、前記複数のモジュールのそれぞれに供給するクロックと前記動作モードとの関係が定められているクロックテーブルに基づいて、前記クロック切り替え部が供給するクロックを切り替える携帯電子機器の制御方法。
【００４９】
（付記９）さらに、無線通信が可能な第２の無線通信部を備え、前記クロック切り替え工程は、前記第１の無線通信部が動作している際に、前記第２の無線通信部が動作し、前記通信品質が予め定められた値未満となった場合には、前記クロックテーブルから、前記第１の無線通信部と、前記第２の無線通信部とが共に動作可能なクロックに切り替える携帯電子機器の制御方法。
【００５０】
（付記１０）さらに、前記クロック切り替え工程は、前記第１の無線通信部における通信が不能となった場合には、前記クロックテーブルに基づくクロックを変更と、変更後のクロックにより前記第１の無線通信部における通信が復帰する否かの確認と、を繰り返す携帯電子機器の制御方法。
【００５１】
（付記１１）無線通信が可能な第１の無線通信部と、動作周波数を供給するクロックの周波数を切り替え可能なクロック切り替え部と、を備える携帯電子機器を制御するコンピュータに実行させるプログラムであって、前記第１の無線通信部における通信状態を確認する処理と、前記通信状態と機器の動作モードに基づいて、前記クロック切り替え部が供給するクロックを切り替えるクロック切り替え処理と、を実行するプログラム。
【００５２】
（付記１２）前記クロック切り替え処理は、前記第１の無線通信部の通信品質が予め定められた値未満となった場合に、前記クロック切り替え部が供給するクロックを切り替えるプログラム。
【００５３】
（付記１３）前記クロック切り替え部は、複数のモジュールに供給するクロックの切り替えが可能であり、前記クロック切り替え処理は、前記複数のモジュールのそれぞれに供給するクロックと前記動作モードとの関係が定められているクロックテーブルに基づいて、前記クロック切り替え部が供給するクロックを切り替えるプログラム。
【００５４】
（付記１４）さらに、無線通信が可能な第２の無線通信部を備え、前記クロック切り替え処理は、前記第１の無線通信部が動作している際に、前記第２の無線通信部が動作し、前記通信品質が予め定められた値未満となった場合には、前記クロックテーブルから、前記第１の無線通信部と、前記第２の無線通信部とが共に動作可能なクロックに切り替えるプログラム。
【００５５】
（付記１５）さらに、前記クロック切り替え処理は、前記第１の無線通信部における通信が不能となった場合には、前記クロックテーブルに基づくクロックを変更と、変更後のクロックにより前記第１の無線通信部における通信が復帰する否かの確認と、を繰り返すプログラム。
【００５６】
なお、上記の特許文献等の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００５７】
１、１ａ  携帯電子機器
１０  ＷＣＤＭＡ無線送受信部
１１  ＧＳＭ無線送受信部
１２  Ｂｌｕｅｔｏｏｔｈ（登録商標）送受信部
１３  ＷＬＡＮ送受信部
１４  ＧＰＳ送受信部
２０  制御部
２１  記憶部
３０  クロック切り替え部
４０  マイク
４１  スピーカ
５０  操作部
６０  表示部
７０  カメラ
８０  ＣＰＵ
３０１  クロック選択部
３０２１〜３０２ｍ  クロック発振器
【図１】
0005669200.tif 000002
【図２】
0005669200.tif 000003
【図３】
0005669200.tif 000004
【図４】
0005669200.tif 000005
【図５】
0005669200.tif 000006
【図６】
0005669200.tif 000007
【図７】
0005669200.tif 000008